(57)【要約】【課題】  遊技機のメダルセレクタ内の異物を検出する。【解決手段】  メダルセレクタのメダル通路内に光電シャッタを設ける。光電シャッタ２０は、メダル通路の一方の側に設けられた発光部２１と、前記発光部と同じ側に設けられた受光部２２と、前記メダル通路を挟むようにその両側に設けられて前記発光部からの光を反射して前記受光部へ導く複数のミラー２３ａ乃至２３ｃとを備える。ミラー２３ｂがメダルの中心Ｐの高さに設けられているので、メダルが連続してメダル通路を流下する場合もメダルを１枚１枚判別でき、異物と間違うことがない。【選択図】        図６
2006055440.tif 000002
【特許請求の範囲】
【請求項１】
メダル投入部から投入されたメダルを選別して送り出すメダルセレクタであって、メダル投入口からメダル排出口へメダルを転動させるメダル通路と、前記メダル通路のメダル排出口側に設けられてメダルを検出するセンサと、前記センサよりも前記メダル投入口側に設けられて前記メダル通路に存在する物体を検出する光電シャッタとを備え、
前記光電シャッタは、前記メダル通路の上下方向の一方の側に設けられて前記メダル通路を流下するメダルの側面に光を照射する発光部と、前記発光部と同じ側に設けられるか、又は他方の側に設けられた受光部と、前記メダル通路の左右の側面の両側に設けられて前記発光部からの光を反射して前記受光部へ導く複数の反射手段とを備え、前記反射手段により前記発光部から前記受光部への光の経路を前記メダル通路の一方の側と他方の側の間で掛け渡すことを特徴とするメダルセレクタ。
【請求項２】
メダル投入部から投入されたメダルを選別して送り出すメダルセレクタであって、メダル投入口からメダル排出口へメダルを転動させるメダル通路と、前記メダル通路のメダル排出口側に設けられてメダルを検出するセンサと、前記センサよりも前記メダル投入口側に設けられて前記メダル通路に存在する物体を検出する光電シャッタとを備え、
前記光電シャッタは、前記メダル通路の一方の側の上部に設けられた第１光学素子と、前記第１光学素子と同じ側の下部に設けられた第２光学素子と、前記メダル通路の上下方向であって左右の側面の両側に設けられた３以上の奇数個の反射手段とを備え、前記第１光学素子及び前記第２光学素子の一方が発光素子であり、他方が受光素子であり、前記発光素子から放射された光は、少なくとも前記発光素子に対向する側に設けられた前記反射手段で反射され、前記発光素子と同じ側に設けられた前記反射手段で反射され、さらに、前記発光素子に対向する側に設けられた前記反射手段で反射されることにより、前記発光部からの光が前記メダル通路の一方の側と他方の側の間を掛け渡して前記受光素子に入力されることを特徴とするメダルセレクタ。
【請求項３】
メダル投入部から投入されたメダルを選別して送り出すメダルセレクタであって、メダル投入口からメダル排出口へメダルを転動させるメダル通路と、前記メダル通路のメダル排出口側に設けられてメダルを検出するセンサと、前記センサよりも前記メダル投入口側に設けられて前記メダル通路に存在する物体を検出する光電シャッタとを備え、
前記光電シャッタは、前記メダル通路の一方の側の上部に設けられた第１光学素子と、前記第１光学素子と前記メダル通路を挟むように他方の側の下部に設けられた第２光学素子と、前記メダル通路の上下方向であって左右の側面の両側に設けられた２以上の偶数個の反射手段とを備え、前記第１光学素子及び前記第２光学素子の一方が発光素子であり、他方が受光素子であり、前記発光素子から放射された光は、少なくとも前記発光素子に対向する側に設けられた前記反射手段で反射され、さらに、前記発光素子と同じ側に設けられた前記反射手段で反射されることにより、前記発光部からの光が前記メダル通路の一方の側と他方の側の間を掛け渡して前記受光素子に入力されることを特徴とするメダルセレクタ。
【請求項４】
メダル投入部から投入されたメダルを選別して送り出すメダルセレクタであって、メダル投入口からメダル排出口へメダルを転動させるメダル通路と、前記メダル通路のメダル排出口側に設けられてメダルを検出するセンサと、前記センサよりも前記メダル投入口側に設けられて前記メダル通路に存在する物体を検出する光電シャッタとを備え、
前記光電シャッタは、前記メダル通路の上部又は下部の一方に設けられた第１光学素子及び第２光学素子と、前記メダル通路の上下方向であって左右の側面の両側に設けられた反射手段と、前記メダル通路の上部又は下部の他方に設けられた端部反射手段とを備え、前記第１光学素子及び前記第２光学素子の一方が発光素子であり、他方が受光素子であり、前記発光素子から放射された光は、少なくとも前記発光素子に対向する側に設けられた前記反射手段で反射され、前記メダル通路の上部又は下部に到達したとき前記端部反射手段で反射され、さらに、前記受光素子に対向する側に設けられた前記反射手段で反射されることにより、前記発光部からの光が前記メダル通路の一方の側と他方の側の間を掛け渡して前記受光素子に入力されることを特徴とするメダルセレクタ。
【請求項５】
前記反射手段のうちの少なくとも一つは、前記メダル通路を通過するメダルの略中心の高さに設けられていることを特徴とする請求項１乃至請求項４いずれかに記載のメダルセレクタ。
【請求項６】
前記メダル通路を転動するメダルがメダルの略中心高さに設けられている前記反射手段に近づかないように、前記メダル通路のメダルの踏面又は前記メダル通路の側面の当該反射手段側に突起を設けたことを特徴とする請求項５記載のメダルセレクタ。
【請求項７】
前記メダル通路を転動するメダルがメダルの略中心高さに設けられている前記反射手段に近づかないように、前記メダル通路を転動するメダルの進行方向に略垂直な面で前記メダル投入口側を見た前記メダル通路の断面を、前記反射手段と反対側に傾斜させたことを特徴とする請求項５記載のメダルセレクタ。
【請求項８】
前記反射手段のうちの少なくとも一つについて、光を透過する材質よりなる物体が前記メダル通路に存在して当該物体により光が屈折したときに当該反射手段に光が到達しなくなる程度に、当該反射手段を小さくすることを特徴とする請求項１乃至請求項４いずれかに記載のメダルセレクタ。
【請求項９】
前記光電シャッタを前記メダル通路を転動するメダルの進行方向に沿って複数並列に設けたことを特徴とする請求項１乃至請求項７いずれかに記載のメダルセレクタ。
【請求項１０】
前記複数の光電シャッタの一部について、その前記発光部、前記受光部及び前記反射手段の配置を他の光電シャッタの配置と左右反対にしたことを特徴とする請求項８記載のメダルセレクタ。
【請求項１１】
メダル投入部から投入されたメダルを選別して送り出すメダルセレクタであって、メダル投入口からメダル排出口へメダルを転動させるメダル通路と、前記メダル通路のメダル排出口側に設けられてメダルを検出する第１のセンサ及び第２のセンサとを備え、
前記第１のセンサ及び前記第２のセンサは、前記メダル通路の上下方向の一方の側に設けられて前記メダル通路を流下するメダルの側面に光を照射する発光部と、前記発光部と同じ側に設けられるか、又は他方の側に設けられた受光部と、前記メダル通路の左右の側面の両側に設けられて前記発光部からの光を反射して前記受光部へ導く複数の反射手段とを備え、前記反射手段により前記発光部から前記受光部への光の経路を前記メダル通路の一方の側と他方の側の間で掛け渡すものであることを特徴とするメダルセレクタ。
【請求項１２】
メダル投入部から投入されたメダルを選別して送り出すメダルセレクタと、前記メダルセレクタに設けられて投入されたメダルを検出するセンサと、前記センサよりも前記メダル投入口側に設けられて前記メダル通路に存在する物体を検出する光電シャッタと、前記センサの出力に基づき投入されたメダルの枚数を計数する制御部とを備える遊技機において、
前記光電シャッタは、前記メダル通路の上下方向の一方の側に設けられて前記メダル通路を流下するメダルの側面に光を照射する発光部と、前記発光部と同じ側に設けられるか、又は他方の側に設けられた受光部と、前記メダル通路の左右の側面の両側に設けられて前記発光部からの光を反射して前記受光部へ導く複数の反射手段とを備え、前記反射手段により前記発光部から前記受光部への光の経路を前記メダル通路の一方の側と他方の側の間で掛け渡すものであり、
前記制御部は、前記光電シャッタが予め定められた閾値以上の時間継続して前記メダル通路に物体を検出していたとき、前記メダル通路に異物が存在すると判定することを特徴とする遊技機。
【請求項１３】
前記閾値は、１枚のメダルが前記光電シャッタを通過する時間に基づき定められることを特徴とする請求項１２記載の遊技機。
【請求項１４】
メダル投入部から投入されたメダルを選別して送り出すメダルセレクタと、前記メダルセレクタに設けられて投入されたメダルを検出するセンサと、前記センサよりも前記メダル投入口側に設けられて前記メダル通路に存在する物体を検出する光電シャッタとを備え、
前記光電シャッタは、前記メダル通路の上下方向の一方の側に設けられて前記メダル通路を流下するメダルの側面に光を照射する発光部と、前記発光部と同じ側に設けられるか、又は他方の側に設けられた受光部と、前記メダル通路の左右の側面の両側に設けられて前記発光部からの光を反射して前記受光部へ導く複数の反射手段とを備え、前記反射手段により前記発光部から前記受光部への光の経路を前記メダル通路の一方の側と他方の側の間で掛け渡すことを特徴とする遊技機における不正行為防止方法であって、
前記光電シャッタの出力信号を監視し、その継続時間を計測するステップと、
前記光電シャッタの出力信号が予め定められた閾値以上の時間継続したとき、前記メダル通路に異物が存在すると判定するステップとを備える遊技機における不正行為防止方法。
【請求項１５】
メダル投入部から投入されたメダルを選別して送り出すメダルセレクタと、前記メダルセレクタに設けられて投入されたメダルを検出するセンサと、前記センサよりも前記メダル投入口側に設けられて前記メダル通路に存在する物体を検出する光電シャッタとを備え、
前記光電シャッタは、前記メダル通路の上下方向の一方の側に設けられて前記メダル通路を流下するメダルの側面に光を照射する発光部と、前記発光部と同じ側に設けられるか、又は他方の側に設けられた受光部と、前記メダル通路の左右の側面の両側に設けられて前記発光部からの光を反射して前記受光部へ導く複数の反射手段とを備え、前記反射手段により前記発光部から前記受光部への光の経路を前記メダル通路の一方の側と他方の側の間で掛け渡すことを特徴とする遊技機で前記メダル通路の異物を検出するための処理をコンピュータに実行させるためのプログラムであって、
前記光電シャッタの出力信号を監視し、その継続時間を計測するステップと、
前記光電シャッタの出力信号が予め定められた閾値以上の時間継続したとき、前記メダル通路に異物が存在すると判定するステップとをコンピュータに実行させるためのプログラム。
【発明の詳細な説明】
【技術分野】
【０００１】
この発明は、スロットマシン等の遊技機、これに用いられるメダルセレクタ及び遊技機における不正行為防止方法並びにプログラムに関する。
【背景技術】
【０００２】
スロットマシン等の遊技機は、遊技者が所定の枚数のメダルを遊技機に投入してゲームを楽しむことができるものである。遊技に必要なメダルは、遊技ホール内に設けられたメダル貸機等で借りることができ、所望の遊技機のメダル投入口に投入することによりゲームを開始することができる。遊技機は、投入されたメダルを判別するとともに、その枚数を計数するためのメダルセレクタを備えている。
【０００３】
この種のメダルセレクタは、メダル投入口から投入されたメダルが転動する、下り傾斜したメダル通路を備えている。メダル通路の出口近傍には、メダルを計数するためのセンサ（例えばフォトインタラプタ）が設けられ、ここで投入されたメダルの枚数が計数される。現在の遊技機のメダルセレクタには２つのセンサが設けられていて、メダルの検知は２つのセンサの検出順序により行われている。投入されたメダルが所定枚数に達するとゲームを開始することができる。追加で投入されたメダルはクレジットとして扱われる。
【０００４】
図１５はスロットマシンが備える従来のメダルセレクタの斜視図である。図１６（ａ）は従来のメダルセレクタの動作説明図である。図１５及び図１６（ａ）において、１はメダルセレクタ、１１はこれに設けられたメダル通路、１２はメダルセレクタ１のメダル出口、Ｓ１及びＳ２はメダル通路１１に設けられたメダル検出のためのフォトインタラプタである。なお、Ｍは投入されたメダルを示す。メダルセレクタ１の上部から投入されたメダルＭは、メダル通路１１に沿って落下し、途中で進行方向を斜め横に変えられ、メダル出口１２から排出される。なお、大きさが異なる非正規のメダルはメダル通路の途中で落下し、メダル返却口に送られる。
【０００５】
メダル出口１２の近傍には２つのメダルセンサＳ１，Ｓ２がメダルの進行方向に沿って並んで設けられている。図１６（ｂ）はメダルＭが通過したときのセンサＳ１，Ｓ２の出力信号のタイミングチャートを示す。手前側に設けられているセンサＳ１の信号の位相は、Ｓ２のそれよりも進んでいる。センサＳ１，Ｓ２により途中で阻止されずに送られてきたメダルの通過が検出される。Ｓ１，Ｓ２を２つ隣接させて設けているので、メダルの通過速度や通過方向を検出することができ、これらに基づきメダル枚数だけでなく、メダルの逆流や不正行為を検出することができる。また、メダルセンサＳ１，Ｓ２をメダル入り口から遠い側に設けることにより、不正行為をやりにくくしている。
【０００６】
遊技者のごく一部に不正行為（いわゆるゴト行為）を行う者がいた。例えば、メダル投入口から異物を挿入し、センサを誤動作させて正規のメダルを投入することなくゲームを行おうとする者がいた。実際には、棒状の異物で２つのセンサＳ１，Ｓ２を往復することによって、実際にメダルを入れているかのように誤認させる方法が採られている。例えば、図１６（ｃ）に示すように針金９０の先端に板９１（これらをまとめて異物と表現することがある）を取り付けたものを同図の点線の経路に沿って動かすと、センサＳ１，Ｓ２から図１６（ｂ）と同様な波形が出力される。
【０００７】
現在の遊技機において、メダルの検知は２つのセンサＳ１，Ｓ２の検出順序に基づき行っている。不正行為としては上述のように棒状の異物９０，９１でこの２つのセンサＳ１，Ｓ２を反応させることによって、実際にメダルを入れていると誤認させる方法が採られている。センサＳ１，Ｓ２が上部に並んでいるため、異物９０，９１を戻す際にこれをセンサＳ１，Ｓ２の検知できないところまで下げることで逆流エラーの検出（図１６（ｂ）のＳ１，Ｓ２の位相が逆になったもの）を避けることが可能になってしまう。
【０００８】
ところで、メダル通路のメダル検出位置において、メダル通過対応面の全体でメダルの通過を検知する貫通型検知センサを配設することが考えられる。すなわち、近接スイッチ又は光電センサを複数個並べる等で構成したセンサを使って、メダル通過対応面の全体を検知するのである。このような構成を採用すれば、不正行為用の異物をどのように動かしても検出を免れることができない。
【０００９】
なお、メダル通路を塞ぐように付勢された退避可能な移動部材と、退避位置にある移動部材を検知するセンサを設け、該センサが所定時間以上継続して検知していたらエラーとすることも可能であるが、このような構成は、結果的に、メダルの流れを移動部材との接触によって阻害することになる。
【発明の開示】
【発明が解決しようとする課題】
【００１０】
前述のようにメダル通過対応面の全体を検知するように構成すると、図１６（ｃ）のように異物９０，９１を戻す際にセンサＳ１，Ｓ２で検知することができるようになるものの、別の問題が生じる。すなわち、メダルが一度に複数枚投入されてメダル通路内を連続して流下してきたとき（後述の図５及びその説明を参照されたい）、前述のようにメダル通過対応面の全体を検知するセンサは検出信号を連続して出力することになり、これを異物の侵入と誤って判断するおそれがある。すなわち、異物の侵入とメダルの連続した流下を判別することが難しかった。
【００１１】
また、メダル通路を塞ぐように付勢された退避可能な移動部材を設けるなどにより、メダル通路に物理的なシャッタを設けるようにすると、メダルの流下が物理的に阻害されてメダル詰まりの原因となるという問題もある。
【００１２】
本発明は、メダル詰まり等の不具合を起こすことなく、前述のような不正行為を検出し、不正行為を抑止することのできるメダルセレクタ、遊技機及び遊技機における不正行為防止方法並びにプログラムを提供することを目的とする。
【課題を解決するための手段】
【００１３】
この発明は、メダル投入部から投入されたメダルを選別して送り出すメダルセレクタであって、メダル投入口からメダル排出口へメダルを転動させるメダル通路と、前記メダル通路のメダル排出口側に設けられてメダルを検出するセンサと、前記センサよりも前記メダル投入口側に設けられて前記メダル通路に存在する物体を検出する光電シャッタとを備え、
前記光電シャッタは、前記メダル通路の上下方向の一方の側に設けられて前記メダル通路を流下するメダルの側面に光を照射する発光部と、前記発光部と同じ側に設けられるか、又は他方の側に設けられた受光部と、前記メダル通路の左右の側面の両側に設けられて前記発光部からの光を反射して前記受光部へ導く複数の反射手段とを備え、前記反射手段により前記発光部から前記受光部への光の経路を前記メダル通路の一方の側と他方の側の間で掛け渡すことを特徴とするものである。
前記メダル通路の一方の側及び他方の側は、前記メダル通路を転動するメダルの進行方向に略垂直な面についての前記メダル通路の断面で見た場合の左右の側を意味する。前記発光部と前記受光部は前記メダル通路の幅方向の空間を隔てて光の授受を行うセンサを構成する。
【００１４】
この発明は、メダル投入部から投入されたメダルを選別して送り出すメダルセレクタであって、メダル投入口からメダル排出口へメダルを転動させるメダル通路と、前記メダル通路のメダル排出口側に設けられてメダルを検出するセンサと、前記センサよりも前記メダル投入口側に設けられて前記メダル通路に存在する物体を検出する光電シャッタとを備え、
前記光電シャッタは、前記メダル通路の一方の側の上部に設けられた第１光学素子と、前記第１光学素子と同じ側の下部に設けられた第２光学素子と、前記メダル通路の上下方向であって左右の側面の両側に設けられた３以上の奇数個の反射手段とを備え、前記第１光学素子及び前記第２光学素子の一方が発光素子であり、他方が受光素子であり、前記発光素子から放射された光は、少なくとも前記発光素子に対向する側に設けられた前記反射手段で反射され、前記発光素子と同じ側に設けられた前記反射手段で反射され、さらに、前記発光素子に対向する側に設けられた前記反射手段で反射されることにより、前記発光部からの光が前記メダル通路の一方の側と他方の側の間を掛け渡して前記受光素子に入力されることを特徴とするものである。
【００１５】
この発明は、メダル投入部から投入されたメダルを選別して送り出すメダルセレクタであって、メダル投入口からメダル排出口へメダルを転動させるメダル通路と、前記メダル通路のメダル排出口側に設けられてメダルを検出するセンサと、前記センサよりも前記メダル投入口側に設けられて前記メダル通路に存在する物体を検出する光電シャッタとを備え、
前記光電シャッタは、前記メダル通路の一方の側の上部に設けられた第１光学素子と、前記第１光学素子と前記メダル通路を挟むように他方の側の下部に設けられた第２光学素子と、前記メダル通路の上下方向であって左右の側面の両側に設けられた２以上の偶数個の反射手段とを備え、前記第１光学素子及び前記第２光学素子の一方が発光素子であり、他方が受光素子であり、前記発光素子から放射された光は、少なくとも前記発光素子に対向する側に設けられた前記反射手段で反射され、さらに、前記発光素子と同じ側に設けられた前記反射手段で反射されることにより、前記発光部からの光が前記メダル通路の一方の側と他方の側の間を掛け渡して前記受光素子に入力されることを特徴とするものである。
【００１６】
この発明は、メダル投入部から投入されたメダルを選別して送り出すメダルセレクタであって、メダル投入口からメダル排出口へメダルを転動させるメダル通路と、前記メダル通路のメダル排出口側に設けられてメダルを検出するセンサと、前記センサよりも前記メダル投入口側に設けられて前記メダル通路に存在する物体を検出する光電シャッタとを備え、
前記光電シャッタは、前記メダル通路の上部又は下部の一方に設けられた第１光学素子及び第２光学素子と、前記メダル通路の上下方向であって左右の側面の両側に設けられた反射手段と、前記メダル通路の上部又は下部の他方に設けられた端部反射手段とを備え、前記第１光学素子及び前記第２光学素子の一方が発光素子であり、他方が受光素子であり、前記発光素子から放射された光は、少なくとも前記発光素子に対向する側に設けられた前記反射手段で反射され、前記メダル通路の上部又は下部に到達したとき前記端部反射手段で反射され、さらに、前記受光素子に対向する側に設けられた前記反射手段で反射されることにより、前記発光部からの光が前記メダル通路の一方の側と他方の側の間を掛け渡して前記受光素子に入力されることを特徴とするものである。
【００１７】
好ましくは、前記反射手段のうちの少なくとも一つを、前記メダル通路を通過するメダルの略中心の高さ（図６及び図７のＰ点を参照）に設ける。
【００１８】
さらに、前記メダル通路を転動するメダルがメダルの略中心高さに設けられている前記反射手段に近づかないように、前記メダル通路のメダルの踏面又は前記メダル通路の側面の当該反射手段側に突起を設けるようにしてもよい。
【００１９】
さらに、前記メダル通路を転動するメダルがメダルの略中心高さに設けられている前記反射手段に近づかないように、前記メダル通路を転動するメダルの進行方向に略垂直な面で前記メダル投入口側を見た前記メダル通路の断面を、前記反射手段と反対側に傾斜させてもよい。
【００２０】
好ましくは、前記反射手段のうちの少なくとも一つについて、光を透過する材質よりなる物体が前記メダル通路に存在して当該物体により光が屈折したときに当該反射手段に光が到達しなくなる程度に、当該反射手段を小さくするとよい。
【００２１】
前記光電シャッタを、前記メダル通路を転動するメダルの進行方向に沿って複数並列に設けるようにしてもよい。この場合、前記複数の光電シャッタの一部について、その前記発光部、前記受光部及び前記反射手段の配置を他の光電シャッタの配置と左右反対にしてもよい。
【００２２】
この発明は、メダル投入部から投入されたメダルを選別して送り出すメダルセレクタであって、メダル投入口からメダル排出口へメダルを転動させるメダル通路と、前記メダル通路のメダル排出口側に設けられてメダルを検出する第１のセンサ及び第２のセンサとを備え、
前記第１のセンサ及び前記第２のセンサは、前記メダル通路の上下方向の一方の側に設けられて前記メダル通路を流下するメダルの側面に光を照射する発光部と、前記発光部と同じ側に設けられるか、又は他方の側に設けられた受光部と、前記メダル通路の左右の側面の両側に設けられて前記発光部からの光を反射して前記受光部へ導く複数の反射手段とを備え、前記反射手段により前記発光部から前記受光部への光の経路を前記メダル通路の一方の側と他方の側の間で掛け渡すものである。
【００２３】
この発明は、メダル投入部から投入されたメダルを選別して送り出すメダルセレクタと、前記メダルセレクタに設けられて投入されたメダルを検出するセンサと、前記センサよりも前記メダル投入口側に設けられて前記メダル通路に存在する物体を検出する光電シャッタと、前記センサの出力に基づき投入されたメダルの枚数を計数する制御部とを備える遊技機において、
前記光電シャッタは、前記メダル通路の上下方向の一方の側に設けられて前記メダル通路を流下するメダルの側面に光を照射する発光部と、前記発光部と同じ側に設けられるか、又は他方の側に設けられた受光部と、前記メダル通路の左右の側面に設けられて前記発光部からの光を反射して前記受光部へ導く複数の反射手段とを備え、前記反射手段により前記発光部から前記受光部への光の経路を前記メダル通路の一方の側と他方の側の間で掛け渡すものであり、
前記制御部は、前記光電シャッタが予め定められた閾値以上の時間継続して前記メダル通路に物体を検出していたとき、前記メダル通路に異物が存在すると判定することを特徴とするものである。
【００２４】
前記閾値は、１枚のメダルが前記光電シャッタを通過する時間に基づき定められる。
【００２５】
この発明は、メダル投入部から投入されたメダルを選別して送り出すメダルセレクタと、前記メダルセレクタに設けられて投入されたメダルを検出するセンサと、前記センサよりも前記メダル投入口側に設けられて前記メダル通路に存在する物体を検出する光電シャッタとを備え、
前記光電シャッタは、前記メダル通路の上下方向の一方の側に設けられて前記メダル通路を流下するメダルの側面に光を照射する発光部と、前記発光部と同じ側に設けられるか、又は他方の側に設けられた受光部と、前記メダル通路の左右の側面の両側に設けられて前記発光部からの光を反射して前記受光部へ導く複数の反射手段とを備え、前記反射手段により前記発光部から前記受光部への光の経路を前記メダル通路の一方の側と他方の側の間で掛け渡すことを特徴とする遊技機における不正行為防止方法であって、
前記光電シャッタの出力信号を監視し、その継続時間を計測するステップと、
前記光電シャッタの出力信号が予め定められた閾値以上の時間継続したとき、前記メダル通路に異物が存在すると判定するステップとを備えるものである。
【００２６】
この発明は上記方法をコンピュータに実行させるプログラムである。
【００２７】
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００２８】
また、電話回線等の有線通信媒体、マイクロ波回線等の無線通信媒体等の通信媒体を含む。インターネットもここでいう通信媒体に含まれる。
【００２９】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００３０】
この発明によれば、メダルセンサの上流に光電シャッタを設け、一定時間以上連続して検出したときに異物と判定することで、メダル通路内の異物を検出し、これにより不正行為を防止することができる。
【発明を実施するための最良の形態】
【００３１】
発明の実施の形態１．
この発明の実施の形態１に係るメダルセレクタ及びこれを備える遊技機（スロットマシン）について図面を参照して説明する。
【００３２】
図１はスロットマシンが備えるメダルセレクタの斜視図である。図１において、１はメダルセレクタ、１１はこれに設けられたメダル通路、１２はメダルセレクタ１のメダル出口、Ｓ１及びＳ２はメダル通路１１に設けられたフォトインタラプタ（メダル検出のためのセンサ）、２０はセンサＳ１及びＳ２の上流つまりメダル投入口側に設けられてメダル通路１１内の物体を検出する光電シャッタである。なお、Ｍは投入されたメダルを示す。メダルセレクタ１の上部から投入されたメダルＭは、メダル通路１１に沿って落下し、途中で進行方向を斜め横に変えられ、メダル出口１２から排出される。なお、大きさが異なる非正規のメダルはメダル通路の途中で落下し、メダル返却口に戻る。
【００３３】
メダル出口１２の近傍には２つのメダルセンサＳ１，Ｓ２がメダルの進行方向に沿って設けられている。これらはメダルの枚数を計数するためのものである。メダルセンサＳ１、Ｓ２は、例えば、互いに対向した発光部と受光部とを有して断面コ字状に形成され、その検出光軸をメダル通路１１内に上方から臨ませて位置するフォトインタラプタである。断面はコの字状でなくてもよいし、受光部だけを設けてもよい。各フォトインタラプタにより、途中で阻止されずに送られてきたメダルの通過が検出される。なお、フォトインタラプタを２つ隣接させたのは、メダル枚数を検出するだけでなく、メダルの通過が正常か否かを監視するためである。すなわち、フォトインタラプタを２つ隣接させて設けることにより、メダルの通過速度や通過方向を検出することができ、これによりメダル枚数だけでなく、逆方向に移動する不正行為を感知することができる。また、メダルセンサＳ１，Ｓ２をメダル入り口から遠い側に設けることにより、不正行為をやりにくくしている。
【００３４】
光電シャッタ２０はメダル通路１１に存在する物体、つまりメダルやこれ以外の異物（例えば不正行為を行うための棒９０や板９１）を検出するためのものである。検出した物体がメダルか異物かによって光電シャッタ１１が出力する信号に違いが生じるので、当該出力信号に基づき異物の有無を判定し、異物であればエラー報知などのエラー処理を行う。その詳細は後述する。
【００３５】
図２は前扉を閉めた状態を示すスロットマシンの正面図、図３は前扉を１８０度開いた状態を示すスロットマシンの正面図を示す。
【００３６】
図２及び図３において、１００はスロットマシンを示すもので、このスロットマシン１００は、図３に示すように、スロットマシン本体１２０と、このスロットマシン本体１２０の前面片側にヒンジ等により開閉可能に取り付けられた前扉１３０とを備えている。前記前扉１３０の前面には、図２に示すように、ほぼ中央にゲーム表示部１３１を設け、ゲーム表示部１３１の右下隅部に、遊技者がメダルを投入するためのメダル投入口１３２を設け、メダル投入口１３２のさらに下側には、メダル投入口１３２から投入され、詰まってしまったメダルをスロットマシン１００外に強制的に排出するためのリジェクトボタン１３３が設けられている。
【００３７】
また、前記ゲーム表示部１３１の左下方には、ゲームを開始するためのスタートスイッチ１３４を設けてあり、前扉の下端部中央には、メダルの払出し口１３５を設けてある。スタートスイッチ１３４の上側にはメダル投入に代えるベットスイッチ１３７が設けてあり、スタートスイッチ１３４の左側にはキャンセルボタン１３８を設けてある。キャンセルボタン１３８を押すとメダル投入口１３２から投入したメダルが払出し口１３５に返却される。
【００３８】
スロットマシン本体１２０の内部には、図３に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。
【００３９】
前記前扉１３０の裏面には、図３に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００４０】
また、メダルセレクタ１の下側には、図３に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００４１】
スロットマシンで遊技を楽しもうとする遊技者は、まずメダル貸機（図示しない）等から遊技媒体であるメダルを借り、メダル投入装置のメダル投入口１３２に直接メダルを入れることができる。スロットマシンの筐体の中央部及び上部には、遊技者側に向かって臨む四角窓状の表示窓が形成されている。そして、この中央部の表示窓の中央には、三個の回転リールの図柄を見ることができる図柄表示窓が形成されている。スタートスイッチ１３４は回転リールの斜め下方に位置するレバーであって、遊技メダルの投入を条件に、リールユニットの駆動を開始させる。リールユニットは、ストップスイッチによりその駆動が停止される。リールユニットは、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００４２】
図４はスロットマシンの機能ブロック図を示す。２００、２０１はそれぞれＣＰＵ、ＲＯＭ及びＲＡＭを内蔵するメイン基板、サブ基板である。メイン基板２００はメダルの投入、払い出し、リールの制御、当選処理などを行う。サブ基板２０１は演出表示などの処理を行う。２０２はスタートスイッチ１３４やストップスイッチ、ベットスイッチなどのスイッチからなる操作部２０２である。２０３は三個の回転リールからなるリールユニットである。２０４はゲーム表示部１３１やリールの内部照明、液晶表示装置、スピーカなどを含む演出表示部である。演出表示部２０４により当選役や押し順の報知がなされる。
【００４３】
次に、図５及び図６を参照して発明の実施の形態１に係る光電シャッタについて説明する。
【００４４】
図５は光電シャッタ２０をメダルＭの側面に垂直な方向から見た平面図を示す。同図は模式的なものであり、実際のメダル通路１１の湾曲部やメダル出口１２の表示は省略している。またセンサＳ１及びＳ２の表示も省略している。同図はメダル通路１１を複数のメダルＭが連続して流下する様子を示している。このようにメダルＭ同士が図中のＰ点で接触して隙間無く流下する場合でも、光電シャッタ２０はメダルを１枚づつ判別することができる。ちなみに前述した従来例のやり方ではメダル１枚づつの判別は不可能であった。
【００４５】
発明の実施の形態１に係る光電シャッタ２０により、複数のメダルＭが連続して流下する場合でもメダルを１枚づつ判別することができる理由について説明を加える。
【００４６】
図６は、図５の光電シャッタ２０をＡ−Ａ線で切断し矢印方向を見たとき、つまりメダル通路１１を転動するメダルＭの進行方向に垂直な面で光電シャッタを切断し、その上流側を見たとき断面図である。光電シャッタ２０は、メダル通路１１上部の一方の側（図６ではメダル通路１１の左側壁）に設けられてメダル通路１１を流下するメダルＭの側面に向けて光を照射するＬＥＤなどの発光部２１と、メダル通路１１の下部であって発光部２１と同じ側に設けられたフォトダイオードなどの受光部２２と、メダル通路１１の両側にメダル通路１１を挟むように設けられて発光部２１からの光を反射して受光部２２へ導く複数の反射手段（ミラー）２３ａ乃至２３ｃとを備える。なお、発光部２１と受光部２２の位置は逆でもよい。
【００４７】
反射手段２３ａ乃至２３ｃで光を反射させることにより、発光部２１から受光部２２への光の経路をメダル通路１１の一方の側と他方の側の間で受け渡すようにしている（図６では光が２往復している：Ｌ１乃至Ｌ４）。光の経路のいずれか一箇所で物体により光が遮られると、発光部２１の光は受光部２２に到達しなくなる。したがって、受光部２２の出力信号を監視することにより、メダル通路１１の４箇所（Ｌ１乃至Ｌ４）のいずれかの位置に物体が存在することを知ることができる。
【００４８】
図６はメダル通路１１に物体としてメダルＭが存在する場合を示すが、このときはＬ１乃至Ｌ４全ての位置で光が遮られるので、受光部２２の出力信号に基づきメダル通路１１に物体が存在することを知ることができる。
【００４９】
異物９０，９１がメダル通路１１に挿入されたときは、異物９０，９１がＬ１乃至Ｌ４のいずれかの位置で光を遮ると考えられるので、やはり受光部２２の出力信号に基づきメダル通路１１に物体が存在することを知ることができる。異物９０、９１が非常に細いものであれば光を遮らないこともあるが、不正行為を行う際に異物９０，９１を動かすことになるので、いずれかのタイミングで光を遮る可能性は十分にあると言える。より確実に異物を検出するためには、反射手段２３の数を増やし、光の経路がメダル通路１１中を何度も往復するようにすればよい。
【００５０】
図６の光電シャッタ２０は、図５のようにメダルＭ同士が図中のＰ点で接触して隙間無く流下する場合でもメダルを１枚づつ判別することができる。これはＰ点を光が通らないように反射手段２３を配置しているためである。メダルＭは円形をしているのでメダル同士の接触部分はＰ点に限定される。したがって、Ｐ点を避けて光の経路を設定すればメダルＭが連続して流下する場合でも、メダルとメダルの間で光が受光部２２に到達することが生じる。これに対し、不正行為を行うための異物９０，９１は長い物体であるから、メダルよりも長時間光が遮断されることがあり得る。
【００５１】
図６の光電シャッタ２０において、Ｐ点を避けて光の経路を設定するために次のような構成を採用している。
【００５２】
（１）反射手段（ミラー）２３の数を奇数とし、そのうちのひとつ（図６では２３ｂ）をメダルＭの略中心の高さ位置に設けた。この位置に設けると光の経路はＰ点を必ず避けることになる。
【００５３】
（２）メダル通路１１を転動するメダルＭが、メダルの略中心高さに設けられている反射手段２３ｂに近づかないように、メダル通路１１のメダルの踏面（下面）にガイド突起２４を設けた。図６においてメダルＭはガイド突起２４の右側を流下していく。ガイド突起２４に代えて、又はこれとともにメダル通路１１の反射手段２３ｂ側の側面にガイド突起２５を設けるようにしてもよい。
【００５４】
（３）メダル通路１１を転動するメダルＭが、メダルの略中心高さに設けられている反射手段２３ｂに近づかないように、メダル通路１１を転動するメダルの進行方向に略垂直な面についてのメダル通路の断面を、反射手段２３ｂと反対側に傾斜させた（図６で言えば右側に傾斜させた）。このように傾けることにより、メダルＭは自重で反射手段２３ｂから離れる方向に移動するようになる。
【００５５】
なお、メダルＭが反射手段２３ａ，２３ｃ側に近づくことは、複数のメダルが隙間無く流下する場合にメダルを１枚づつ判別する点に関して問題がない。
【００５６】
図６は反射手段２３の数が奇数で、発光部２１と受光部２２が同じ側に設けられた場合を示すが、本発明の実施の形態１はこのような構成に限定されない。図７（ａ）（ｂ）に他の構成例を示す。
【００５７】
図７（ａ）（ｂ）は発光部２１が一方の側（正確には、メダル通路１１を転動するメダルＭの進行方向に垂直な面で光電シャッタを切断し、その上流側を見たとき断面図において左側）に設けられ、発光部２１と受光部２２でメダル通路１１を挟み込むように受光部２２が他方の側（同、右側）に設けられた例を示す。図７（ａ）（ｂ）の例では反射手段２３の数は偶数である。これらの場合でも、Ｐ点を避けて光の経路を設定するために次のような構成を採用することができる。
【００５８】
（１’）いずれか一つの反射手段２３（図７（ａ）では反射手段２３ｅ、同図（ｂ）では反射手段２３ｈ）をメダルの略中心高さのＰ点位置に設ける。
【００５９】
（２）図６の場合と同様のガイド突起を設ける。
【００６０】
（３）図６の場合と同様に、メダル通路１１の断面を、メダルの略中心高さのＰ点位置に設けた反射手段２３ｂの反対側に傾斜させる。
【００６１】
異物９０、９１が透明な場合の検出について図７（ｃ）を参照して説明を加える。異物９０，９１が透明な物体（アクリル樹脂など）である場合、光が遮蔽されないことになる。しかしこの場合でも異物９０，９１を光が通過する際に屈折が生じ、光の経路が変わるようになる。例えば、図７（ｃ）のように光の経路Ｌ２がＬ２’のようになる。そこで、光の経路が変わると反射手段２３ｂに光が到達できなくなるように、反射手段２３ｂの大きさを小さくしておく。すると透明な物体が存在する場合でも光は受光部２２に到達しなくなり、光が遮断された場合と同様の作用効果を奏する。
【００６２】
なお、発光部２１と受光部２２の両方を上部又は下部に設けることもできる。すなわち、図７（ｄ）及び図８に示すように、上下に配設した反射手段２３ａ乃至２３ｃの列を通路を挟んで対向して、又は隣接してもう１列設ける（反射手段２３ａ’乃至２３ｃ’）とともに、上部又は下部に到達した光を反射する反射手段（端部反射手段）２３ｊを設け、反射手段２３ａ乃至２３ｃからの光を反射手段２３ｊで反射手段２３ａ’乃至２３ｃ’へ送るようにするのである。
【００６３】
図７（ｄ）は、反射手段２３ａ乃至２３ｃと反射手段２３ａ’乃至２３ｃ’をメダル通路１１を挟むように対向して配置した例を示し、図８は、反射手段２３ａ乃至２３ｃと反射手段２３ａ’乃至２３ｃ’を隣接して配置した例を示す。図７（ｄ）のように反射手段２３ａ乃至２３ｃと反射手段２３ａ’乃至２３ｃ’を線対称に配置すると、光の経路がメダル通路１１を往復する回数を増やすことになり、その結果光の経路をより稠密に配置できて、異物を確実に検出できるようになる。
【００６４】
次に、光電シャッタ２０を用いて異物の判定を行う処理について説明する。
まず、図９及び図１０を参照して光電シャッタ２０の出力信号について説明する。図９（ａ）は１枚のメダルＭがメダル通路１１を流下する場合を示し、同図（ｂ）は異物９０，９１がメダル通路１１に挿入された場合を示す。
【００６５】
図９（ａ）の場合、光電シャッタ２０の出力信号は図１０（ａ）のようになる。１枚のメダルＭが光電シャッタ２０を通過する間（ＴＭ）だけ信号が検出される。その検出時間ＴＭはメダルの流下速度で決まり、速度が小さいと検出時間は長くなるが、通常はメダルの流下速度はある一定値以上であるので、最大の検出時間（全てのメダルについて超えることのない検出時間）を定義することができる。メダルの流下速度が著しく小さくなることもないわけではないが、このような場合はメダル詰まりと考えられるから、異物と判定してエラー処理を行っても支障はない。
【００６６】
図５のように複数のメダルが連続して流下する場合、光電シャッタ２０の出力信号は図１０（ｂ）のようになる。発明の実施の形態１に係る光電シャッタ２０では、メダル同士の接触点であるＰ点を光が通らないように反射手段２３を配置しているから、メダルＭが連続して流下する場合でも光が受光部２２に到達するタイミングが生じる。したがって、メダル検出信号であるＴＭとＴＭの間に間隙が存在する。図１０（ｂ）においてもメダル検出時間ＴＭについて、その最大の検出時間を定義することができる。
【００６７】
図９（ｂ）のように異物９０，９１が存在すると、光電シャッタ２０の出力信号は図１０（ｃ）のようになる。この場合、検出時間の上限は存在しない。したがって、最大の検出時間を超えて物体が検出されたとき、当該物体は異物であると判定することができる。もっとも、異物９０，９１が動くために検出時間が短い場合も考えられるが、実際に不正行為を行う場合は異物９０，９１を一定時間以上メダル通路１１内に挿入していると思われるので、上述のやり方でも実用上問題はないと考えられる。
【００６８】
上記のことを踏まえて、発明の実施の形態１では図１１の処理を行う。例えば、図１１の処理プログラムをメイン基板２００のＲＯＭに格納しておき、それをメイン基板２００のＣＰＵで実行する。当該処理は物体を検出する処理（図１１（ａ））と、当該物体が異物であるかどうか判定する処理（同図（ｂ））を含む。
【００６９】
図１１（ａ）において、ＣＰＵは光電シャッタ２０の出力を監視し（Ｓ１）、光電シャッタ２０で物体を検出したとき、すなわちその出力信号が存在するとき図示しないタイマーをセットし出力信号の継続時間の計測を開始する（Ｓ２でＹＥＳ、Ｓ３）。タイマーセットによりタイマーは時を刻んでいく。そうでなければタイマーをリセットする（Ｓ２でＮＯ，Ｓ４）。
【００７０】
図１１（ｂ）において、タイマーの出力を予め定められた閾値と比較する（Ｓ１０）。当該閾値は図１０のＴＭに対応するものである。図１０のＴＭは、例えば通常のメダルの通過速度の最小値でメダルの直径を除することで得られる。閾値をそのように求めたＴＭと同じか、若干大きな値とする。閾値とＴＭの差を大きくすれば、誤ってメダルを異物と判定する確率は低くなる。タイマー出力が閾値を超えていないとき異物判定処理を終了し、他の処理に戻る（Ｓ１１でＮＯ）。タイマー出力が閾値を超えたとき異物と判定し、エラー処理を行う（Ｓ１１でＹＥＳ、Ｓ１２）。
【００７１】
以上のように、発明の実施の形態１によれば、メダルセンサの上流に光電シャッタを設け、一定時間以上連続して検出したときにエラー処理を行うことで、不正行為を防止することができる。
【００７２】
従来例のやり方では、連続するメダルが流下してきた場合にメダル検知状態が継続的に続いてしまい、異物の侵入と連続メダルの流下との判別がし難かった。また、物理的なシャッタを設けると、メダルの流下が物理的に阻害されて、メダル詰まりの原因となる問題があった。これに対し、発明の実施の形態１によれば、連続するメダル同士の接触点（別の言い方をすれば、メダル中心に相当する高さ位置）であるＰ点を避けて光を反射させる構成としたため、メダル検知時間は、連続するメダルが流下してきた場合でも１枚のメダルが光電センサを通過するのに要する時間と常に等しくなり、メダル検知が該時間よりも長い場合に異物と判断できるようになる。本発明の実施の形態１に係る光電シャッタは、機械スイッチなどの物理的シャッタと比較して設置スペースも多く必要とせず、メダルの流下も阻害しないという利点を備える。
【００７３】
発明の実施の形態１の変形例．
更に、光電シャッタを並列して２つ配置すれば、より高い不正行為防止機能を発揮可能となる。図１２に２つの光電シャッタ２０−１と２０−２を設けたメダルセレクタを示す。これら２つの光電シャッタそれぞれについて図１１の処理を実行すれば、異物を検出することができる。あるいは、２つの光電シャッタの出力の論理和を求め、いずれか一方で物体を検出したときに信号が出力されるようにし、この信号に基づき図１１の処理を実行するようにしてもよい。
【００７４】
２つの光電シャッタを並べるときに、同じ構造のものを並べてもよいが、一方について発光部２１、受光部２２及び反射手段２３の配置を反対にしてもよい（例えば図１３（ａ）と（ｂ））。このようにすると２つの光電シャッタは互いに線対称の光の経路を持つようになるので、光の経路をより稠密に配置できて光の経路がメダル通路１１を往復する回数を増やしたことと同様の作用効果を奏し、異物を確実に検出できるようになる。図１３（ｃ）にそのような光の経路の例を示す。同図では、図１３（ａ）の光の経路Ｌと同図（ｂ）の光の経路Ｌ’が合成されることになる。
【００７５】
発明の実施の形態２．
発明の実施の形態１は、異物を検出するために光電シャッタを設けたものであるが、当該光電シャッタはメダルセンサＳ１及びＳ２として用いることもできる。本発明の実施の形態に係る光電シャッタをメダルセンサＳ１及びＳ２として用いたメダルセレクタを図１４に示す。光電シャッタの構成は図６等に示したものと同じであるので、その説明は省略する。
【００７６】
発明の実施の形態２に係るメダルセレクタについても従来の場合と同様にメダルの枚数の計数や逆流の検出を行うことができる。さらに、発明の実施の形態１と同様に異物を検出することもできる。
【００７７】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００７８】
【図１】発明の実施の形態１に係るメダルセレクタの斜視図である。
【図２】スロットマシンの外観を示す正面図である。
【図３】スロットマシンの前扉を開いたときの正面図である。
【図４】発明の実施の形態１に係るスロットマシンの機能ブロック図である。
【図５】発明の実施の形態１に係る光電シャッタの配置を示す平面図である。
【図６】発明の実施の形態１に係る光電シャッタの断面図である。
【図７】発明の実施の形態１に係る光電シャッタの他の構成例を示す図である。
【図８】発明の実施の形態１に係る光電シャッタの他の構成例を示す図である。図８（ａ）は光電シャッタの平面図を示し、図８（ｂ）（ｃ）は断面図を示す。
【図９】発明の実施の形態１による検出動作の説明図である。
【図１０】発明の実施の形態１に係る光電シャッタの出力信号のタイミングチャートである。
【図１１】発明の実施の形態１に係る光電シャッタを用いた異物判定処理のフローチャートである。
【図１２】発明の実施の形態１の変形例に係るメダルセレクタの斜視図である。
【図１３】発明の実施の形態１の変形例に係る光電シャッタの構成例を示す図である。
【図１４】発明の実施の形態２に係るメダルセレクタの斜視図である。
【図１５】従来のメダルセレクタの斜視図である。
【図１６】従来のメダル検出動作の説明図である。
【符号の説明】
【００７９】
１    メダルセレクタ
１１    メダル通路
１２    メダル出口
２０    光電シャッタ
２１    発光部
２２    受光部
２３    反射手段
２４    ガイド突起
２５    ガイド突起
９０    不正行為に用いられる棒
９１    不正行為に用いられる板
１００    スロットマシン
１２０    スロットマシン本体
１２１    ホッパ装置
１２２    ホッパタンク
１３０    前扉
１３１    ゲーム表示部
１３２    メダル投入口
１３３    リジェクトボタン
１３４    スタートボタン
１３５    払出し口
１３６    導出路
２００    メイン基板
２０１    サブ基板
２０２    操作部
２０３    リールユニット
２０４    演出表示部
Ｓ１，Ｓ２    メダルセンサ（フォトインタラプタ）
【図１】
2006055440.tif 000003
【図２】
2006055440.tif 000004
【図３】
2006055440.tif 000005
【図４】
2006055440.tif 000006
【図５】
2006055440.tif 000007
【図６】
2006055440.tif 000008
【図７】
2006055440.tif 000009
【図８】
2006055440.tif 000010
【図９】
2006055440.tif 000011
【図１０】
2006055440.tif 000012
【図１１】
2006055440.tif 000013
【図１２】
2006055440.tif 000014
【図１３】
2006055440.tif 000015
【図１４】
2006055440.tif 000016
【図１５】
2006055440.tif 000017
【図１６】
2006055440.tif 000018